(57)【要約】      （修正有）【課題】演奏方法を単純で明快にした、足で操作するコード演奏専用装置を提供する。【解決手段】一方の足の側に、１２通りあるコードのキーを種類別に３行４列に分類すると共に、盤上に並べたキーボードを配置する。さらに、他方の足の側に、１２通りある根音のキー１９を時計の文字盤のように台１６となる円盤上に円周状に並べたキーボードを配置して足操作用楽器を形成する。【選択図】図２
0003181868.tif 000002
【実用新案登録請求の範囲】
【請求項１】
１２種の根音を片足で、１２通りあるコードの種類をもう片方の足で、同時に両足で操作すると１４４通りのコード演奏が出来る装置。
【請求項２】
１２通りあるコードを種類別に３行４列に分類し、片方の足で操作するように組み合わせた装置。
【請求項３】
時計の文字盤のように円周上に並べられた１２通りの根音キーを、別の足で操作するコード演奏専用の装置。
【請求項４】
足の指や踵で操作する根音、３ｒｄ、５ｔｈ、７ｔｈ、と転回キーとの組み合わせ。
【請求項５】
アルペジオの演奏時に使用する親指用スイッチからなる装置。
【考案の詳細な説明】
【技術分野】
【０００１】  本考案は、足で操作するコード演奏専用の装置に関するものである。
【背景技術】
【０００２】  コードは頻繁に使われるもので１４４通りあり、その中から目的のものを瞬時にしかも確実に選ばなければ、音は濁り不快に聞こえる。【０００３】  その為、瞬間に対応出来てしかもアマチュアの演奏家にも分かり易い操作方法が求められる。その上、足を使って演奏するので、単純でより明快な操作方法とする為に操作キーの並べ方、特にその順番、位置、及び角度は重要となる。【０００４】  一つには、数字が切れ目なくずらりと並んだ電話番号だと分かりずらく、読み取るのにも苦労する。ところが、それをハイフン等で繋ぎ４桁程度の数字の組にするとかなり分かり易くなる。同様によく似たものが等間隔で並んでいると、どれも同じように見えて区別しずらい。そこで、それらを３つ、４つのまとまりとすればすっきりとし理解もし易くなる。このことはキーの配列にも応用できるのではないか。演奏中は目で確認することもままならず、全てを足だけで操作する楽器であれば尚更筋肉が容易に位置を覚えられることは必須条件といえる。【０００５】  また一つは、時計の文字盤が１２時からスタートして、１時２時とぐるっと回ってまた１２時に戻ってくるように、１２通りある根音についても同じように，例えばＣを１２時の位置に持ってくると、時計回りに，Ｄ，Ｅ，Ｆ，Ｇ，Ａ，Ｂ，と回って、また１２時のＣ、に戻ってくる。【０００６】  この場合、どの根音を１２時に持ってきても構わないが、一般的にはＡ又はＣを持ってくると使い勝手が良い。Ｃが１２時だとＧは７時、Ａは９時になる。更に、足の裏での確認を容易にする為に、Ａ及びＣには太字にするなりＡには三角、Ｃには丸で囲むなど他の根音より目立つようにする。
【考案の開示】
【考案が解決しようとする課題】
【０００７】  鍵盤楽器の仲間は右手でメロディーを弾きつつ左手でアンサンブルも出来る優れものが多い。電子オルガンだと、それに加えて足で簡単なベースも弾くことが出来る。【０００８】  しかし、それが金管楽器だと、例えばトランペットの仲間は片手でバルブを押さえて演奏するが、その間は普通もう片方の手で楽器を支えている。ホルンだと左手で操作しつつ右手もそれなりに活躍している。【０００９】  これが木管楽器になると両手でキーを操作するので、まさに文字通り手塞がりの状態となり、とても一人で伴奏までは手が回らない。【００１０】  その為今まで一人でメロディーを吹きながら同じ楽器で一緒に複雑なコードを演奏することは管楽器の構造上からも出来なかった。また同じ奏者が管楽器でメロディーを吹きつつ別の楽器で同時にアンサンブルも演奏するという方法も無かった。稀に、管楽器を吹きつつ空いた手でキーボードを操作する器用な人もいるが、どちらかを優先させて演奏せざるを得ず、満足出来る状態での演奏とは言い難い。【００１１】  ところが、そんな管楽器を演奏するのに，たとえ口や手は塞がっていても足は空いている。それなら、その空いている２本の足を活用してコード演奏が出来ないかと考えたのがこの楽器である。【００１２】  微妙なタッチで動き回り、目的の音を繊細に出せる手のようにはいかないが、大まかな操作なら十分役目を果たすことが出来る。そこで次のように考えた。
【課題を解決するための手段】
【００１３】  左足で１２通りある根音から目的のものを選ぶ。同時に右足で１２通りあるコードの種類を選択する。その数は１２×１２で１４４通りとなり、一般的な演奏に使用されるコードとしては十分カバー出来る。更に、同様の方法で別途にテンション・ノート対する補助装置も追加が可能であり，又、奏者により左右の装置を取り換えることも自由である。【００１４】  靴の中敷きに取り付ける接点は、ぎこちない足の指や踵が操作するので、その位置はこれらの指や踵が対応出来るように大まかに位置を決める。これらの接点は奏者の好みにより任意に位置を変えることも、左右を取り換えることも可能である。【００１５】  アルペジオで演奏する時は、親指、一般的には右手親指の腹側に取り付けたオン・オフ用のスイッチをオンにし、靴の中敷きに取り付けた根音、３ｒｄ、５ｔｈ、７ｔｈ、の接点を左右の足の親指または小指でオン・オフして操作する。足の指により左右で計４接点のオン・オフが可能である。更に転回する時は、足の踵部分に接点があるので、左足の指を使用する時は右足の踵で、右足の指を使う時は左足の踵で転回スイッチをオン・オフして操作する。その為、合わせて６か所の接点が左右の靴の中敷きに設置される。尚、アルペジオと転回との操作では、アルペジオが優先され、そのスイッチがオフの時のみ転回の操作が可能となる。【００１６】  通常はＡを２２０ヘルツに設定しているが、補助キーを操作することで１オクターブ及び２オクターブの上げ下げは可能である。よって、上げれば４４０ヘルツ、及び８８０ヘルツとなり、下げた場合は１１０ヘルツ、及び５５ヘルツとなる。低い方はベースの音域と重なるので、両足で円盤のみを操作することにより単独の低音演奏をすることも出来る。
【考案の効果】
【００１７】  左手だけで複雑なコード演奏も出来るキーボードは優れた楽器であるが、小さな手の子供や女性にとってオクターブ近く手を広げることは至難の業である。【００１８】  一方、多くの管楽器はその構造上一つの音を出している時は、他を同時に出すことは出来ない。また管楽器を演奏する時は常に手が塞がっていると言ってよい。そこで足の出番となる。アマチュアの演奏家が一人で、或いは数人で管楽器等を演奏しつつ、同時に足を使うことでコード演奏をすることも、時にはベースとして使用することも可能である。【００１９】  足は手のようには器用に動かないが簡単な作業なら十分こなすことが出来る。そこで操作方法を単純でわかり易くすることで、初心者にも短時間の訓練で容易にコード演奏が出来る。又、円盤を両足で操作することにより、低音演奏用の装置ともなる。【００２０】  但し、足を使って演奏する為、立って演奏することは困難となる。又マーチング・バンドのように歩いて演奏することは出来ず、椅子に座って演奏する。
【考案を実施するための最良の形態】
【００２１】  ２種ある装置は左右の足のどちらで操作しても良くその選択は奏者の好みによる。一般的には右足に行列からなるコードの種類のボードを、左足に根音の円盤を持ってくると良い。こうすることで場合によっては使用されるテンション・ノート用の補助装置との連携が容易となる配置になる。【００２２】  行列からなるキーボードは誤操作を避ける為、それぞれの列は同間隔としない。メジャー系、マイナー系、その他で配列が微妙に異なる。【００２３】  根音の円盤は時計の文字盤と同様に等間隔で時計回りに並べる。アルファベット順にＡからＧに、シャープとフラットをも含め１２等分して並べ、一周して元に戻る。どの文字を上にしても構わないが、普通はＣを１２時に持ってくる。するとＡは９時になる。【００２４】  足の指で操作するキーは左足小指に３ｒｄ，親指に５ｔｈ、右足親指にルート、小指に７ｔｈ  を配置する。但し奏者の好みにより位置は自由に変えることが出来る。【００２５】  左右の足の踵はターンキーで、左足の指を使っている時は右踵、右足の指を使っている時は左踵を使用する。【００２６】  右手親指の腹側にアルペジオ用のスイッチを付ける。これはお琴の爪のように脱着が可能で、管楽器を支持する時に邪魔にならない大きさとする。【００２７】  ボードの横に補助キーを取り付け、２オクターブ以内の上げ下げを出来るようにする。通常はＡを２２０ヘルツに設定している。それを、１オクターブ上げると４４０ヘルツに、２オクターブ上げると８８０ヘルツになる。同様に１オクターブ下げると１１０ヘルツ、２オクターブ下げると５５ヘルツになる。上限は１６６１ヘルツのＡｂとする。【００２８】  現在では品質の良いものが安価で大量に生産されているので、同じ性能のものならば、わざわざ別にあつらえで作るより費用が抑えられる。よって、発振器、アンプ、スピーカーは何れも既存の部品或いは装置を転用又は借用する。【００２９】  アンプの出力は小さな室内用では１０ワット未満でもよく、小ホール等で使用する時は４０ワット程度とする。電源は家庭用の１００ボルトを使う。又は９乃至１２ボルトのバッテリーでも使用できれば使い道が広がる。更に、ヘッドホーン専用等の小さな出力のアンプにはＵＳＢの５ボルトでも使え、又、充電でも使用出来ると更に便利である。【００３０】  アンプの中に音質を変える装置も付属していれば、より楽しい楽器となる。その場合、音質を変えるメイン・スイッチをオンにし、１０種類程度からなる音質のうち、求める音質の番号を検索しオンにする。【００３１】  スピーカーは小さな室内では口径２００ミリ、小ホールでなら口径３００ミリを使用し、ｆｏは前者では４５ヘルツ以下、後者では３０ヘルツ以下とする。何れも軽くて応答性に優れたコーン型を使用し、能率は、前者で８６デシベル以上、後者では９６デシベルは欲しい。【００３２】  高域は周波数特性に暴れが無く素直に伸びていればさほど厳しい条件を付ける必要も無く、前者で２４００ヘルツ、後者で１８００ヘルツ程を上限とする。【００３３】  収めるスピーカー・ボックスは一般的な密閉型か位相反転型とする。更に、低音用と言うことでスピーカーを取り付ける前面板には、間に乾燥砂をサンドイッチしたもの��使用すると無用な共振が制動され音がクリアーになる。
【図面の簡単な説明】
【００３４】
【図１】  行列からなるキーボード
【図２】  根音の円盤
【図３】  足の指スイッチと踵スイッチ
【符号の説明】
【００３５】１            キーボードの台
２            □（□の中にキーの根音名が入る）
３            □Ｍ７
４            □７
５            □６
６            □ａｕｇ
７            □ｓｕｓ４
８            □ｍ７（ｂ５）
９            □ｄｉｍ
１０          □ｍ
１１          □ｍＭ７
１２          □ｍ７
１３          □ｍ６
１４          オクターブ上げるキー
１５          オクターブ下げるキー
１６          台
１７          Ｃの根音キー
１８          Ａの根音キー
１９          それぞれの根音キー
２０          ３ｒｄ
２１          ５ｔｈ
２２          ルート
２３          ７ｔｈ
２４          転回キー
２５          電源スイッチ
２６          音質変換メイン・スイッチ
２７          音質変換サブ・スイッチ
２８          番号が出る窓
２９          ボリューム（音量調節）
【図１】
0003181868.tif 000003
【図２】
0003181868.tif 000004
【図３】
0003181868.tif 000005
【手続補正書】
【提出日】平成24年10月18日(2012.10.18)
【手続補正１】
【補正対象書類名】実用新案登録請求の範囲
【補正対象項目名】全文
【補正方法】変更
【補正の内容】
【実用新案登録請求の範囲】
【請求項１】
１２種からなる根音のキーボードを片足で、１２通りあるコードの種類のキーボードをもう片方の足で、同時に操作すると１４４通りのコードの演奏が出来る楽器。
【請求項２】
片方の足で操作出来るように１２通りあるコードのキーを種類別に３行４列に分類し、盤上に並べたキーボードを特徴とする請求項１記載の楽器。
【請求項３】
別の足で操作出来るように１２通りある根音のキーを時計の文字盤のように円盤の円周上に並べたキーボードを特徴とする請求項１記載の楽器。
【請求項４】
足の指や踵で操作する根音、３ｒｄ、５ｔｈ、７ｔｈと転回キーとの組み合わせを特徴とする請求項１記載の楽器。
【請求項５】
アルペジオの演奏時に使用する親指用スイッチを特徴とする請求項１記載の楽器。
【手続補正書】
【提出日】平成24年12月11日(2012.12.11)
【手続補正１】
【補正対象書類名】実用新案登録請求の範囲
【補正対象項目名】全文
【補正方法】変更
【補正の内容】
【実用新案登録請求の範囲】
【請求項１】
一方の足の側に、１２通りあるコードのキーを種類別に３行４列に分類すると共に、盤上に並べたキーボードを配置し、
他方の足の側に、１２通りある根音のキーを時計の文字盤のように円盤の円周上に並べたキーボードを配置したことを特徴とする足操作用楽器。